(57)【要約】      （修正有）【課題】ファンの効能を上げるためのノートパソコン用放熱装置における防塵装置の構造を提供する。【解決手段】ノートパソコン中の演算ユニット上に設置した放熱装置１２は、ファンセット２０及び一つの放熱フィン３０を含み、ファンセットはハウジング２２、回転部２４及び導風装置２８を含み、ハウジングの片側に一つの開口を設け、回転部をハウジング内に設置し、導風装置をハウジング内に、且つ回転部と開口の片側の間に設置することで、導風装置とハウジングと近隣する内壁面の間に除塵経路２９を形成し、放熱フィンは対応して開口に設置し、且つ放熱フィンは除塵経路と対応する箇所に切欠開口部３２を設けてノートパソコンが除塵する際に、塵を切欠開口部からノートパソコンの外に吹き出すようにする。【選択図】図５
0003227031.tif 000002
【実用新案登録請求の範囲】
【請求項１】
ノートパソコン内部のメイン演算ユニットに設置した放熱装置の防塵装置を形成するものであって、
上記放熱装置は、放熱風力及び除塵風力を生じるファンセット及び放熱フィンを含み、
該ファンセットは、ハウジング、回転部、及び導風装置から構成され、
該回転部は、該ハウジング内に該ハウジングに設けられた開口部に相対して設置され、
該導風装置は、ハウジング内に該回転部と該ハウジングの開口の片側との間に設置することによって該導風装置とハウジングと近隣する内壁面との間に除塵経路を形成し、
前記放熱フィンは、上記ハウジングの開口に設置すると共に、該除塵経路と対応する箇所に除塵経路と連通する一つの切欠開口部を設けることで前記ファンセットの除塵風力により該メイン演算ユニットの熱を該ノートパソコンの外に導風せしめる、
ことを特徴とするノートパソコン用防塵装置の構造。
【請求項２】
前記切欠開口部は、該放熱フィンの片側辺が内側に窪んだ形状の一つ切欠開口によって形成し、該切欠開口口は一つのＵ字型の形状或いは一つの方形体の構造を形成することを特徴とする請求項１記載のノートパソコン用防塵装置の構造。
【請求項３】
前記導風装置は一つの彎曲した片体の構造であり、且つ該彎曲面と該導風装置と近隣する該ハウジングの該内壁面との間に、前記除塵経路を形成することを特徴とする請求項１記載のノートパソコン用防塵装置の構造。
【請求項４】
前記回転部の外縁及び該ハウジングの内壁面との間に、一つの円弧状の送風経路を形成し、該送風経路はそれぞれ前記放熱風力及び除塵風力を生じる一つの第一方向、及び一つの第二方向を具有することを特徴とする請求項１記載のノートパソコン用防塵装置の構造。
【請求項５】
前記該第一方向とは前記ファンセットが該放熱風力を生じる際の送風宇方向であり、該第二方向とはファンセットが該除塵風力を生じる際の送風方向であり、該第一方向と該第二方向は相反し、且つ該除塵風力は該除塵経路を経由して該切欠開口部に吹き出して、塵を該ノートパソコンの外に排出することを特徴とする請求項４記載のノートパソコン用防塵装置の構造。
【請求項６】
前記メイン演算ユニットとは一つの中央処理装置（ＣＰＵ）、一つのメモリコントロールユニット（ＭＣＵ）或いは一つのグラフィックス プロセッシング ユニット（ＧＰＵ）からなるものであることを特徴とする請求項１記載のノートパソコン用防塵装置の構造。
【請求項７】
前記ノートパソコン筐体のハウジングの片側に前記放熱フィンに相対して一つの空気出口を設けることを特徴とする請求項１記載のノートパソコン用防塵装置の構造。
【請求項８】
前記ノートパソコン筐体のハウジングの空気出口と対応する場所に、一つのカバーを設けることを特徴とする請求項１記載のノートパソコン用防塵装置の構造。
【請求項９】
前記回転部に含まれるのは一つのモーター及び一つのブレード装置であり、
該モーターは該回転部の中心に位置することで、該ファンセットが風力を生じるのに必要な回転の動力を提供し、
該ブレード装置をモーターの円周の外回りに設置し、該モーターの駆動を通じて回転し、必要な風力を生じることを特徴とする請求項５記載のノートパソコン用防塵装置の構造。
【考案の詳細な説明】
【技術分野】
【０００１】
本考案はノートパソコン用防塵装置の構造に関し、特にノートパソコンの筐体に除塵穴を開ける必要のないノートパソコン用防塵装置の構造に関する。
【背景技術】
【０００２】
従来技術の中で、ノートパソコンの除塵方法については、いずれも装置の筐体の背面に一つの除塵穴を開けて行うが、該穴はノートパソコンの筐体全体の美感を損なう。同時に従来の除塵方法は、ファン装置のハウジング（ｈｏｕｓｉｎｇ）に一つの除塵穴を開けるが、その除塵穴はファンの実行効果を大きく影響する。更に、構造上複雑化することになり、且つ該除塵穴を開ける背面の場所はファンに近すぎるため、塵を再び吸引しやすい。最も重要なのは、ノートパソコンの安全規制では、ノートパソコンの筐体に一つの穴を開けると、異物や流体がノートパソコンのシステムに入り、ノートパソコン全体を損壊し易くなるため、更なる改善が必要であった。
【先行技術文献】
【特許文献】
【０００３】
【特許文献１】特開２０１３−４８２２４号公報
【特許文献２】特開２０１０−８６０５３号公報
【考案の概要】
【考案が解決しようとする課題】
【０００４】
前記公知構造の欠点を解決するため、本考案は従来の一つの除塵穴を開けて異物が流入しやすい技術を改善し、美的な外観を維持すると共に、ノートパソコンの筐体の安全規制に合致し、有効的にファンの効能を上げるノートパソコン用除塵装置の構造を提供することを主な課題とする。
【課題を解決するための手段】
【０００５】
上記の目的を解決するために、本考案はノートパソコン用防塵装置の構造を提供するものである。本考案のノートパソコン用防塵装置は一つの放熱装置を含み、即ち該放熱装置を一つのノートパソコンの中に設置し、該ノートパソコン用防塵装置を形成する。且つ該放熱装置は該ノートパソコン内部の一つのメイン演算ユニットに設置する。該放熱装置は一つのファンセット及び一つの放熱フィンを含む。その内で該ファンセットは放熱風力及び除塵風力を生じるためのものである。該ファンセットは一つのハウジング、一つの回転部及び一つの導風装置を含み、該ハウジングの片側に一つの開口を設ける。該回転部を該ハウジング内に設置し、該ハウジングの回転部と対応した一つの面に一つの開口部を設ける。及び該導風装置をハウジング内に設置し、且つ該回転部と該開口の片側の間に設置することで、該導風装置とハウジングと近隣する一つの内壁面の間に一つの除塵経路を形成する。この他、該放熱フィンは対応して該開口に設置し、該メイン演算ユニットの熱を、該放熱風力によって該ノートパソコンの外に導出する。且つ該放熱フィンは除塵経路と対応する箇所に一つの切欠開口部を設けることで、ノートパソコンが除塵する際に、塵を該切欠開口部から該ノートパソコンの外に吹き出す。
【考案の効果】
【０００６】
本考案の構造により、ノートパソコンの筐体に別途放熱するための穴を開ける必要がないため、外観を損なうことなく、ノートパソコン筐体装置の安全規制に合致し、有効的にファンの効能を上げることができる。
【図面の簡単な説明】
【０００７】
【図１】本考案の実施例におけるノートパソコンの実施構造略図である。
【図２】本考案の実施例における透視略図である。
【図３】本考案の実施例における別の角度の透視略図である。
【図４】本考案の実施例における放熱を実施する略図である。
【図５】本考案の実施例のおける除塵を実施する略図である。
【図６】本考案の実施例における空気出口の実施略図である。
【考案を実施するための形態】
【０００８】
以下、本考案の構造と特徴および効果を、最良実施例と図面を参照しながら詳細に説明する。
【実施例】
【０００９】
本考案のノートパソコン用防塵装置は、本考案の設計構造を通じ、別途ノートパソコンの筐体に穴を開けて安全規制に影響することなく、元の空気出口の尾端から塵を吹き出すことができる。更にフィンの尾端の切欠開口部の構造と合わせて塵を吹き出すことができ、且つフィンの前端は安全規制の構造に合致したままの状態とすることができる。外観のサイドから見ても、尚も一般の外観を維持することができ、塵を出す穴はシステムの中に隠すことで、従来技術の欠点を改善する。
【００１０】
以下は図と合わせて各種の実施例を充分に説明し、図によって幾つかの実施例を例示する。しかし、本考案のコンセプトは様々な形で実現することが可能であり、本文にて説明する実施例に限られると解釈してはならない。更に言えば、このような実施例を提供することで、本考案はより詳しく完璧に、且つ同分野の技術者に確実の本考案のコンセプトの範疇を伝えることができる。添付の図では、装置のサイズ及び相対するサイズの大きさとの関係をクリアにするために拡大することができる。その他、同じ数字は始終同様の部品を指示する。
【００１１】
本文にて使用する可能性のある専門用語、上方、下方、左側、右側、前端、後端、中間或いは底部などで各種部品の位置を説明するが、当該部品らはそれらの専門用語によって制限されてはならない。当該専門用語は尚も明確に一つの部品と別の部品、及び異なる設置の相対位置を区分する。よって、下記に論述する左側（或いは前端）部品は、右側（或いは後端）部品とも称することができ、本考案のコンセプトの教示から離れない。同様に本文にて使用する「上」、「下」、「上側」或いは「下側」は、部品が個別に相対する位置の関係を説明するのみであり、必ずしも各部品の上下の対応関係ではない。仮に本文にて使用する「第一」或いは「第二」などの専門用語は、一つの部品と別の一つの部品を明確に区分するのみに使用されるのであって、両者の間では一定の順序関係の存在が必然的にあるわけではない。例えば本文にて使用する専門用語「及び／或いは」には、互いに関連した羅列項目の中の如何なる一つ及び一つ或いは多数の全ての組合せを含む。本文専門用語「少なくとも一つ」とは、一つ、二つ、三つ或いは四つ…などとしても実施できる形態を示す。また、本文が使用することのある専門用語の「複数個」を持って複数の部品を具有することを説明するが、これらの複数個の部品とは、実施に二つ、三つ或いは四つ及び四つ以上の部品数の表示のみで実施する技術に限られないことを合わせて予め言明する。
【００１２】
図１に示すように、一つの実施例において、本考案のノートパソコン用防塵装置はノートパソコン１０の中に設置する。それに含まれるのは放熱装置１２であり、その放熱装置１２をノートパソコン１０の中に設置することで、本考案が述べるノートパソコン用防塵装置を形成する。且つ本考案の放熱装置１２はノートパソコン１０内部のメイン演算ユニット（図１に表示せず。）の上に設置する。前記メイン演算ユニットとは一つの中央処理装置（ＣＰＵ）、一つのメモリコントロールユニット（ＭＣＵ）或いは一つのグラフィックスプロセッシングユニット（ＧＰＵ）など、一般のノートパソコン１０の中で放熱が必要とするメイン演算ユニットとする。
【００１３】
図２、図３に示すように、前記の放熱装置１２とは一つのファンセット２０及び一つの放熱フィン３０で組み合わせて形成する。即ち本考案の放熱装置１２に含まれるのはファンセット２０及び放熱フィン３０である。前記ファンセット２０とは（図４の点線で示すような）放熱風力及び（図５の点線で示すような）除塵風力を生じるためのものである。ファンセット２０に含まれるのは一つのハウジング２２及び一つの回転部２４である。前記ハウジング２２とは一つの上蓋２２Ａ及び一つの下蓋２２Ｂであり、両者を上下に組み合わせて形成する。ハウジング２２の片側に一つの開口を設け、且つ開口は放熱フィン３０の放熱方向に合わせることで、熱気を放出しやすくなる。図３に示すように、該ハウジング２２の上蓋２２Ａの回転部２４と対応した一つの面に開口部２３を設ける。
【００１４】
図３に示す回転部２４とは主に一つのモーター２５が一つのブレード装置２６と組み合わせたものである。その内で、モーター２５は回転部２４の中心に位置することで、ファンセット２０がブレード装置２６を回転させて、風力を生じるのに必要な回転の動力を提供する。前記のブレード装置２６をモーター２５の円周の外回りに設置することで、ブレード装置２６はモーター２５の駆動に伴って回転し、且つ必要とする放熱風力或いは除塵風力を生じる。
図３に示すように、本考案のファンセット１２の中には更に一つの導風装置２８を含む。図５に示すように、該導風装置２８をハウジング２２内に設置し、且つ回転部２４とハウジングの開口の片側の間に設置することで、該導風装置２８とハウジングと近隣する（例えば上蓋２２Ａ）一つの内壁面との間に一つの除塵経路２９を形成する。前記の導風装置２８は実用上で、一つの彎曲した片体の構造であり、且つ該彎曲片体の構造が近隣するハウジング２２（例えば前記の上蓋２２Ａ）の一つの内壁面との間に、前記の除塵経路２９を形成する。
【００１５】
本考案の放熱フィン３０は対応して該ファンセット２０を収容したハウジングの開口に設置することで、前記ノートパソコン１０の中にあるメイン演算ユニットが動作する際に生じる熱気を、前記の放熱風力によって、熱を該ノートパソコン１０の外に導風する。且つ前記放熱フィン３０が前記の除塵経路２０と対応する箇所に一つの切欠開口部３２（図２、図３に示す通り）を設けることで、ノートパソコン１０が除塵の動きを実行する際に、塵を該切欠開口部３２から該ノートパソコン１０の外に吹き出す。そこでは、前記切欠開口部３２は、放熱フィン３０の片側辺が内側に窪んだ形状の一つの切欠開口によって形成する。実用上実施する際は、該切欠開口部は一つのＵ字型の形状或いは一つの方形状の構造を形成する。
【００１６】
図４、図５に示すように、前記回転部２４の外縁及びハウジング２２（例えば上蓋２２Ａ）の内壁面の間に、一つの円弧状の送風経路を形成する。図４の点線に示すように、該送風経路は図４の点線矢印に示す第一方向、及び図５の点線矢印に示す第二方向を形成する。即ち、前記の第一方向とはファンセット２０が該放熱風力を生じる際、モーター２５がブレード装置２６を回転して生じる送風方向であり、即ち図４の点線方向であり、主にパソコンの中にある演算ユニットが生じる熱気を、放熱フィン３０を通じて熱気をノートパソコン１０の外に吹き出す。前記の第二方向とはファンセット２０が前記の除塵風力を生じる際の送風方向、即ち図５の点線方向であり、明らかに該第一方向と該第二方向は相反する方向である。且つ該除塵風力は前記除塵経路２９を通じて、前記放熱フィン３０の中にある切欠開口部３２に吹き出すことで、塵を該ノートパソコン１０の外に排出することができる。
【００１７】
図６に示すように、該ノートパソコン１０本体筐体の片側に放熱フィン３０に相対して一つの空気出口４０を設ける。該空気出口４０が相対応するノートパソコンの設置位置は、図１に示す形態に応じて合わせることができる。しかし、図１に示す空気出口４０の位置は、一つの実施例説明を示すのみであり、該空気出口４０は設計者の意図に基づきノートパソコン１０の周囲の如何なる辺の面にも設置することができる。その場合、該放熱フィン３０の設置位置はそれによって調整されるため、本考案の実施例の範囲はこれによって制限されない。同時に該ノートパソコン１０本体筐体の該空気出口４０と対応する場所に、図１及び図６に示すように一つのカバー４２を設け、空気出口４０の内部と対応して前記の放熱フィン３０を設ける。本考案の部品構造を通じて、外観サイドの空気出口４０から見ても、尚も一般のノートパソコンの外観を維持することができる。このように、塵を出す穴（つまり前記の切欠開口部３２）は、ノートパソコンの内部に隠され、従来の穴を開ける必要があった技術を改善した。
【００１８】
上記をまとめると、本考案にて採用する放熱フィン３０に一つの切欠開口部３２を凹ませて形成して導風装置２８の設置個所と合わせると、本考案の設計構造を通じて、本来の空気出口の一端を利用して塵を吹き出すことができる。よってノートパソコンの筐体に別途穴を開けることで安全規制に影響をすることがない。更に放熱フィン３０の一端の切欠開口部３２の構造により塵を吹き出すことができ、且つ放熱フィン３０の前端は尚も安全規制の構造を維持することができる。それにより本考案の放熱装置１２を組み込むノートパソコン１０本体は、その外観サイドから見ても、一般の外観を維持することができ、即ち塵を出す穴はシステムの中に隠されるため、従来技術の欠点を改善する。
【００１９】
以上の実施例による本考案の詳細な説明は本考案の範囲を制限するものではない。本技術に熟知する者は、固定構造の変更などの適当な変更および調整を行うことができ、これらの変更および調整を行っても本考案の重要な意義は失われず、本考案の範囲に含まれる。
【符号の説明】
【００２０】
１０  ノートパソコン       
１２  放熱装置
２０  ファンセット   
２２  ハウジング
２２Ａ  上蓋
２２Ｂ  下蓋
２３  開口部
２４  回転部
２５  モーター   
２６  ブレード装置
２８ 導風装置
２９  除塵経路
３０  放熱フィン       
３２ 切欠開口部
４０ 空気出口 
４２ カバー
【図１】
0003227031.tif 000003
【図２】
0003227031.tif 000004
【図３】
0003227031.tif 000005
【図４】
0003227031.tif 000006
【図５】
0003227031.tif 000007
【図６】
0003227031.tif 000008